(57)【要約】【課題】保冷具を被保冷物に対して適当な位置に保持することができて、被保冷物を長時間効果的に保冷することができるとともに、被保冷物の収容スペースを広く確保できるようにすること。【解決手段】保冷具が保冷ボックス１４内に収容される被保冷物に対して適当な位置に保持されるように、保冷具保持体１０の本体１１の端部に設けられた面ファスナ１３を保冷ボックス１４内の内側面３１に設けられた面ファスナ１５に取り付ける。【選択図】    図２
2004340388.tif 000002
【特許請求の範囲】
【請求項１】
本体の端部に保冷ボックスの内部に取り付けるための取付手段を設け、同本体の側面に保冷具を保持するための保持部を設けたことを特徴とする保冷具保持体。
【請求項２】
前記本体は、シート状をなすことを特徴とする請求項１に記載の保冷具保持体。
【請求項３】
前記本体は、ネットよりなることを特徴とする請求項１または２に記載の保冷具保持体。
【請求項４】
前記ネットは、抗菌機能を有することを特徴とする請求項３に記載の保冷具保持体。
【請求項５】
前記本体にポケット片を縫着することにより前記保持部が構成され、そのポケット片は、ネットにより構成されていることを特徴とする請求項１〜４のいずれか一項に記載の保冷具保持体。
【請求項６】
前記本体の端部におもりを設けたことを特徴とする請求項１〜５のいずれか一項に記載の保冷具保持体。
【請求項７】
前記取付手段は、面ファスナにより構成されていることを特徴とする請求項１〜６のいずれか一項に記載の保冷具保持体。
【請求項８】
請求項１〜６のいずれか一項に記載の保冷具保持体を有し、内側面に前記取付手段が取り付けられる取付部を有することを特徴とする保冷ボックス。
【請求項９】
請求項１〜６のいずれか一項に記載の保冷具保持体を有し、内側面に前記保持体側の面ファスナが取り付けられるボックス側の面ファスナを有することを特徴とする保冷ボックス。
【発明の詳細な説明】
【０００１】
【発明の属する技術分野】
この発明は、冷凍または冷蔵食品等の被保冷物を保冷する際に用いられる保冷具を保持するための保冷具保持体及びこれを備えた保冷ボックスに関するものである。
【０００２】
【従来の技術】
従来の保冷ボックスとして、保冷ボックスの蓋の内面側に保冷具が保持されるようにした構造のものが知られている（例えば、特許文献１参照）。しかし、この特許文献１に記載の保冷ボックスの場合には、被保冷物と保冷具との距離が遠くなってしまうので、被保冷物を有効に保冷することができなかった。
【０００３】
また、保冷ボックスの蓋の内面側だけでなく、保冷ボックス本体内の内側面にも保冷具が保持されるようにした構造の保冷ボックスが知られている（例えば、特許文献２参照）。しかし、この特許文献２に記載の保冷ボックスは、保冷ボックス本体内の保冷具を保持するための保冷具収容ポケットが固定された構造であるので、この保冷具収納ポケットの位置を変更することができない。このため、保冷ボックス本体内の被保冷物にあわせて被保冷物の収容スペースを柔軟かつ有効に確保することができず、保冷ボックス本体内に収容できる被保冷物の数量が少なくなってしまうという問題があった。
【０００４】
【特許文献１】
特開２００１−２０１２２３号公報（第２頁、第２図）
【特許文献２】
特開２００１−５６１６９号公報（第３頁、第１図）
【０００５】
【発明が解決しようとする課題】
このため、保冷ボックス内の被保冷物の収容スペースを広く確保しつつ、被保冷物を保冷具によって有効に保冷するためには、保冷ボックスの側壁の厚さを薄くして、保冷ボックス内のスペースを確保することが考えられる。
【０００６】
しかしながら、保冷ボックスの側壁の厚さを薄くすると、この側壁内に設けられている断熱層も薄くしなければならないので、保冷ボックスの保冷性能が低下してしまい、被保冷物を有効に保冷することができないという問題があった。
【０００７】
この発明は、このような従来の技術に存在する問題点に着目してなされたものである。その目的は、保冷具を被保冷物に対して適当な位置に保持することができて、被保冷物を長時間効果的に保冷することができるとともに、被保冷物の収容スペースを広く確保できるようにすることにある。
【０００８】
【課題を解決するための手段】
上記目的を達成するために、請求項１の発明においては、本体の端部に保冷ボックスの内部に取り付けるための取付手段を設け、同本体の側面に保冷具を保持するための保持部を設けたことを要旨とするものである。
【０００９】
従って、保冷具が保冷ボックス内に収容されている被保冷物に対して適当な位置に保持されるように、本体を保冷ボックス内に取り付けることができ、被保冷物を長時間効果的に保冷することができる。
【００１０】
請求項２に記載の発明においては、請求項１において、前記本体は、シート状をなすことを要旨とするものである。
従って、本体がシート状をなしているので、取り扱いが容易で、保冷ボックス内において広いスペースをとることなく保冷具を保持することができる。このため、保冷ボックス内の被保冷物の収容スペースを広く確保することができる。
【００１１】
請求項３に記載の発明においては、請求項１または２において、前記本体は、ネットよりなることを要旨とするものである。
従って、本体がネットよりなるので、本体形状をフレキシブルに変形させることができる。また、本体がネットよりなるので、保冷具から発生される冷気の通過を邪魔することがなく、被保冷物を効果的に保冷することができる。
【００１２】
請求項４に記載の発明においては、請求項３において、前記ネットは、抗菌機能を有することを要旨とするものである。
従って、細菌の繁殖を抑制することができるので、保冷具を衛生的に使用することができる。
【００１３】
請求項５に記載の発明においては、請求項１〜４のいずれか一項において、前記本体にポケット片を縫着することにより前記保持部が構成され、そのポケット片は、ネットにより構成されていることを要旨とするものである。
【００１４】
従って、保持部がポケット片によって構成されているので、ポケット片に保冷具を容易に保持させることができ、このポケット片に保持させた保冷具の交換も容易に行うことができる。また、ポケット片がネットによって構成されているので、ポケット片内に保冷具が保持されているか否かを、外部から目視するだけで容易に確認することができる。さらには、ポケット片は保冷具からの冷気の通過を邪魔することがない。
【００１５】
請求項６に記載の発明においては、請求項１〜５のいずれか一項において、前記本体の端部におもりを設けたことを要旨とするものである。
従って、おもりを置くだけで、おもりの重量により本体を被保冷物の上面位置に保持することができ、被保冷物をその上方から有効に保冷できる。
【００１６】
請求項７に記載の発明においては、請求項１〜６のいずれか一項において、前記取付手段は、面ファスナにより構成されていることを要旨とするものである。
従って、本体を保冷ボックス内に、ワンタッチで容易に取り付けることができる。
【００１７】
請求項８に記載の発明においては、請求項１〜６のいずれか一項に記載の保冷具保持体を有し、内側面に前記取付手段が取り付けられる取付部を有することを要旨とするものである。
【００１８】
従って、保冷具が保冷ボックス内に収容されている被保冷物に対して適当な位置に保持されるように、保冷具保持体を保冷ボックス内に取り付けることで、被保冷物を長時間効果的に保冷することができる。
【００１９】
請求項９に記載の発明においては、請求項１〜６のいずれか一項に記載の保冷具保持体を有し、内側面に前記保持体側の面ファスナが取り付けられるボックス側の面ファスナを有することを要旨とするものである。
【００２０】
従って、保冷具保持体を保冷ボックスの内側面に、着脱自在に取り付けることができる。このため、保冷ボックスの内側面の異なる高さの位置に、複数の面ファスナを段階的に設けることで、保冷具保持体の取り付け高さを容易に変更することができる。この結果、保冷ボックス内に収容される被保冷物の種類や数量あるいは大きさに応じて保冷具保持体の取り付け高さを変更することで、保冷具を被保冷物に対して適当な位置に保持することができる。
【００２１】
【発明の実施の形態】
以下、本発明を具体化した実施形態を図１〜図５に基づいて説明する。
図１に示すように、この実施形態の保冷具保持体１０の本体１１は、ネットより、全体としてほぼ長方形の平らなシート状をなすように形成されている。本体１１を形成するネットには、抗菌機能を有するように銀抗菌処理が施されている。本体１１の一側面には、同じく銀抗菌処理が施されたネットよりなるほぼ長方形の複数のポケット片１２が縫着されており、このポケット片１２により、保冷具を保持するための保持部が構成されている。本体１１の他側面の一端部には、取付手段を構成する面ファスナ１３が設けられている。
【００２２】
図２に示すように、平面から見てほぼ長方形の保冷ボックス１４は、その上端に開閉自在の蓋１４ａを備えている。蓋１４ａは、そのほぼ中央部で折り畳むことができるようになっている。そして、保冷ボックス１４は、その内部に、前述のように構成された保冷具保持体１０を備えている。すなわち、保冷ボックス１４の一端部の内側面３０における開口端付近には、保冷具保持体１０が、前記本体１１の面ファスナ１３が設けられている端部の反対側の端部において接着固定されている。保冷ボックス１４の他端部の内側面３１には、前記保持体側の面ファスナ１３が取り付けられる取付部としてのボックス側の面ファスナ１５が、保冷ボックス１４の上下方向に所定間隔をおいて複数固着されている。
【００２３】
さて、図３は、保冷ボックス１４内に、被保冷物としての冷凍品１７を、保冷ボックス１４内がほぼ一杯になるまで収容した状態を示している。この場合、冷凍品１７の上面は、保冷ボックス１４の開口端付近に位置する。そして、保冷具保持体１０のポケット片１２のそれぞれの内部に保冷具１６を入れて保持させた後、この保冷具保持体１０を、冷凍品１７の上面に這わせるように載せる。その後、このときの冷凍品１７の上面の高さに合わせて、保冷ボックス１４内の面ファスナ１５を選択する。そして、この選択した面ファスナ１５に保冷具保持体１０の面ファスナ１３を取り付けると、保冷具１６が、冷凍品１７の上面に保持され、冷凍品１７が長時間効果的に保冷される。
【００２４】
また、図４は、保冷ボックス１４内に、被保冷物として嵩の小さい冷凍品１７を収容した状態を示している。この場合、冷凍品１７の上面は、高さが低くなっている。しかし、この場合においても、前述の場合と同様に、このときの冷凍品１７の上面の高さに合わせて、保冷具保持体１０の面ファスナ１３を保冷ボックス１４内の面ファスナ１５に取り付けると、保冷具１６が、冷凍品１７の上面に保持され、冷凍品１７が長時間効果的に保冷される。
【００２５】
従って、保冷ボックス１４内に収容される冷凍品１７の大きさや数にかかわらず、冷凍品１７を長時間効果的に保冷することができる。
さらに、図５は、保冷ボックス１４内に、被保冷物として冷凍されていない冷蔵品２３を収容した状態を示している。この場合、保冷具１６を冷蔵品２３の上面に保持すると、保冷具１６によって冷蔵品２３が凍結され、冷蔵品２３が痛んでしまうおそれがある。従って、このような場合には、冷蔵品２３の上面よりも高い位置の保冷ボックス１４内の面ファスナ１５を選択する。そして、この選択した面ファスナ１５に、前述と同様に保冷具１６が保持された保冷具保持体１０の面ファスナ１３を取り付けることにより、保冷具１６が、冷蔵品２３の上方に距離をおいて吊されるように保持される。このため、冷蔵品２３を凍結させることなく、長時間効果的に保冷することができる。
【００２６】
以上詳述した実施形態によれば次のような効果が発揮される。
・  保冷ボックス１４内に収容される冷凍品１７や冷蔵品２３に対して適当な位置に保冷具１６が保持されるように、保冷具保持体１０の本体１１を保冷ボックス１４内に取り付けることができて、冷凍品１７や冷蔵品２３を長時間効果的に保冷することができる。
【００２７】
・  保冷具保持体１０の本体１１がシート状をなしているので、取り扱いが容易で、保冷ボックス１４内において広いスペースをとることがない。このため、保冷ボックス１４内の冷凍品１７や冷蔵品２３の収容スペースを広く確保することができる。加えて、保冷具保持体１０の本体１１を長くすれば、ポケット片１２の数を増やして、多数の保冷具１６を保冷に用いることができる。この場合、本体１１が２つ折りにされたり、巻回されたりして使用される。また、この場合、本体１１の長手方向中間部にも面ファスナ１３を設ければ、２つ折り状態の本体１１を保冷ボックス１４内に広げて配置できる。
【００２８】
・  保冷具保持体１０の本体１１及びポケット片１２がネットよりなるので、保冷具保持体１０の形状をフレキシブルに変形させることができる。また、保冷具保持体１０の本体１１及びポケット片１２が、保冷具１６から発生される冷気の通過を邪魔することがなく、被保冷物を効果的に保冷することができる。
【００２９】
・  保冷具保持体１０の本体１１及びポケット片１２は、銀抗菌処理が施されたネットよりなるため、細菌の繁殖を抑制することができ、保冷具保持体１０、ひいては保冷ボックス１４を衛生的に使用することができる。
【００３０】
・  保冷具１６の保持部がポケット片１２によって構成されているので、ポケット片に保冷具１６を容易に保持させることができ、このポケット片１２に保持させた保冷具１６の出入れ交換も容易に行うことができる。
【００３１】
・  ポケット片１２がネットによって構成されているので、ポケット片１２内に保冷具１６が保持されているか否かを、外部から目視するだけで容易に確認することができる。
【００３２】
・  保冷ボックス１４の内側面３１に保冷具保持体１０の本体１１に設けられた面ファスナ１３が取り付けられる面ファスナ１５が設けられているので、保冷具保持体１０を保冷ボックス１４の内側面３１に、着脱自在に取り付けることができる。このため、保冷具保持体１０の取り付け位置を容易に変更することができる。
【００３３】
・  保冷ボックス１４の内側面３１の異なる高さの位置に、保冷具保持体１０の面ファスナ１３が取り付けられる複数の面ファスナ１５が設けられているので、保冷具保持体１０の取り付け高さを容易に変更することができる。このため、保冷具１６を被保冷物に対して適当な高さ位置に保持することができるので、保冷ボックス１４内に収容される被保冷物が冷凍品１７か冷蔵品２３であるかにかかわらず、被保冷物を長時間効果的に保冷することができる。加えて、保冷ボックス１４内に収容される被保冷物が冷凍品１７である場合、その数量や大きさによって冷凍品１７の上面の高さが変わっても、保冷具保持体１０の取り付け高さを変更することで、保冷具１６を冷凍品１７の上面に保持することができ、冷凍品１７を長時間効果的に保冷することができる。
【００３４】
（変更例）
なお、前記実施形態を次のように変更して構成することもできる。
・  図６に示すように、保冷具保持体１０の本体１１の端部におもり１８を設けること。
【００３５】
このようにすれば、おもり１８を置くだけで、おもり１８の重量により保冷具１６を冷凍品１７の上面に保持することができる。このため、冷凍品１７を長時間効果的に保冷することができる。
【００３６】
・  保冷具保持体１０の本体１１の構成を変更すること。例えば、図７及び図８に示すように、本体１９を、その両端部に環状の掛合部１９ａを有する２本の紐によって構成し、この２本の紐をネットよりなる複数のポケット片２０を介して接合することによって保冷具保持体２２を形成する。そして、この保冷具保持体２２の掛合部１９ａを、保冷ボックス４０の内側面に設けられたＵ字状のフック２１に掛合させること。
【００３７】
・  同じく図８に示すように、保冷ボックス４０の内側面にＵ字状のフック２１を設けて、ネットよりなる本体１１の一端又は両端をこのフック２１に掛止するように構成すること。
【００３８】
・  保冷具保持体１０の本体１１の両端部に面ファスナ１３を設けるとともに、保冷ボックス１４の両内側面３０，３１に面ファスナ１５を設けること。
このようにすれば、保冷ボックス１４から保冷具保持体１０を完全に取り外すことができる。従って、保冷具保持体１０が破損しても、容易に新しい保冷具保持体１０と交換することができる。また、保冷ボックス１４から保冷具保持体１０を完全に取り外すことができるので、保冷具保持体１０が汚れても容易に洗濯することができ、保冷具保持体１０を衛生的に使用することができる。
【００３９】
・  面ファスナ１５を、保冷ボックス１４の内側面３１の全面に設けること。
このようにすれば、保冷ボックス１４の内側面３１における保冷具保持体１０の取り付け位置の無段階変更が可能になる。
【００４０】
・  図９に示すように、保冷ボックス１４の上下方向に延びる面ファスナ１５を、保冷ボックス１４の内側面３１に、保冷ボックス１４の幅方向に所定間隔をおいて複数設けること。
【００４１】
このようにすれば、保冷ボックス１４の内側面３１における保冷具保持体１０の取り付け高さの位置の無段階変更が可能になる。また、保冷具保持体１０の面ファスナ１３を、保冷ボックス１４の内側面３１の面ファスナ１５に取り付けたときに、面ファスナ１３の一部に、面ファスナ１５と接触していない部分ができるので、この部分に指を掛けることによって面ファスナ１３を容易に取り外すことができる。
【００４２】
【発明の効果】
以上、詳述したように本発明は、保冷具を被保冷物に対して適当な位置に保持することができて、被保冷物を長時間効果的に保冷することができるとともに、被保冷物の収容スペースを広く確保できる。
【図面の簡単な説明】
【図１】実施形態の保冷具保持体の平面図。
【図２】実施形態の保冷ボックスの斜視図。
【図３】実施形態の保冷ボックス内に、被保冷物として冷凍品をほぼ一杯になるまで収容したときの断面図。
【図４】実施形態の保冷ボックス１４内に、被保冷物として嵩の小さい冷凍品を収容したときの断面図。
【図５】実施形態の保冷ボックス１４内に、被保冷物として冷凍されていない冷蔵品を収容したときの断面図。
【図６】変更例の保冷ボックスの断面図。
【図７】変更例の保冷具保持体の平面図。
【図８】変更例の保冷ボックスの断面図。
【図９】変更例の保冷ボックスの一部破断斜視図。
【符号の説明】
１０，２２…保冷具保持体、１１，１９…本体、１２，２０…保持部を構成するポケット片、１３…取付手段としての面ファスナ、１４，４０…保冷ボックス、１５…取付部としての面ファスナ、１６…保冷具、１７…冷凍品、１８…おもり、２１…取付部としてのフック、３０，３１…内側面。
【図１】
2004340388.tif 000003
【図２】
2004340388.tif 000004
【図３】
2004340388.tif 000005
【図４】
2004340388.tif 000006
【図５】
2004340388.tif 000007
【図６】
2004340388.tif 000008
【図７】
2004340388.tif 000009
【図８】
2004340388.tif 000010
【図９】
2004340388.tif 000011